(57)【要約】【課題】真空成形あるいは圧空成形された中枠を用いることなく、しかも巻装され、端部にコネクタあるいはイヤホン、ヘッドホン等のユニットが接続された接続コードを収納する展示用包装装置を提供する。【解決手段】透明な合成樹脂製ケース１０の内側に配される表示枠１８の上方に背面側に向かって円弧状に湾曲した透明シート２２を取付けるようにし、この透明シート２２の保持孔３１に接続コード１２の先端側のコネクタ１３を保持させ、透明シート２２上において合成樹脂製ケース１０の収納凹部１１内にコネクタ１３が見えるように配置する。【選択図】１【特許請求の範囲】
【請求項１】
透明または半透明の合成樹脂製ケースの内側に収納凹部が形成され、先端部に部品、ユニット等を接続した接続コードを前記収納凹部内に収納するとともに、該収納凹部の背面側開口を背面板によって閉塞するようにした展示用包装装置において、
前記収納凹部内に配され、内部に前記接続コードを収納しかつ前記合成樹脂製ケースを通して所定の表示を行なう表示枠と、
前記表示枠の係止部によって係止され、しかも前記収納凹部内であって前記表示枠の上方位置において前記接続コードの先端部または該先端部に接続された部品、ユニット等を支持する透明または半透明のシートと、
を具備する展示用包装装置。
【請求項２】
前記透明または半透明のシートに保持孔を設け、前記接続コードの先端部に接続された部品、ユニット等を前記保持孔内に保持するようにしたことを特徴とする請求項１に記載の展示用包装装置。
【請求項３】
前記表示枠の上側の側壁に、切溝と、該切溝の終端に位置する保持孔とを設け、前記接続コードの先端部を前記切溝を通して前記保持孔内に導くようにしたことを特徴とする請求項１に記載の展示用包装装置。
【請求項４】
前記接続コードは、先端部にコネクタが接続されていることを特徴とする請求項１に記載の展示用包装装置。
【請求項５】
前記接続コードは、先端部にイヤホンジャックが接続されていることを特徴とする請求項１に記載の展示用包装装置。
【請求項６】
透明または半透明の合成樹脂製ケースの内側に収納凹部が形成され、先端部に部品、ユニット等を接続した接続コードを前記収納凹部内に収納するとともに、該収納凹部の背面側開口を背面板によって閉塞するようにした展示用包装装置において、
前記合成樹脂製ケースの下端に前記背面板の内側に沿って上方に延びる連結板を連設するとともに、該連結板の先端部を前方に折曲げて折曲げ片を設け、しかも該折曲げ片に前記コードの先端部を支持する支持部を設け、
前記コードの先端部を前記支持部によって支持するとともに、前記接続コードの先端部に接続された部品またはユニットを前記合成樹脂製ケースの収納凹部内であって前記折曲げ片の上方に配するようにしたことを特徴とする展示用包装装置。
【請求項７】
前記合成樹脂製ケースの折曲げ片に、切溝と、該切溝の終端に位置する保持孔とを設け、前記接続コードの先端部を前記切溝を通して前記保持孔内に導くようにしたことを特徴とする請求項６に記載の展示用包装装置。
【請求項８】
前記表示枠の上側の側壁に、切溝と、該切溝の終端に位置する保持孔とを設け、前記接続コードの先端部を前記切溝を通して前記保持孔内に導くようにしたことを特徴とする請求項６に記載の展示用包装装置。
【請求項９】
前記接続コードは、先端部にコネクタが接続されていることを特徴とする請求項６に記載の展示用包装装置。
【請求項１０】
前記接続コードは、先端部にイヤホンジャックが接続されていることを特徴とする請求項６に記載の展示用包装装置。
【請求項１１】
透明または半透明の合成樹脂製ケースの内側に収納凹部が形成され、先端部に部品、ユニット等を接続した接続コードを前記収納凹部内に収納するとともに、該収納凹部の背面側開口を背面板によって閉塞するようにした展示用包装装置において、
前記収納凹部内に配され、内部に前記接続コードを収納しかつ合成樹脂製ケースを通して所定の表示を行なう表示枠を備え、該表示枠の上側の側壁または該上側の側壁の折返し部分に前記接続コードの先端部を支持する支持部を設け、
前記接続コードの先端部を前記支持部によって支持するとともに、前記接続コードの先端部に接続された部品またはユニットを前記表示枠の外であって上方に配するようにしたことを特徴とする展示用包装装置。
【請求項１２】
前記表示枠の上側の側壁に、切溝と、該切溝の終端に位置する保持孔とを設け、前記接続コードの先端部を前記切溝を通して前記保持孔内に導くようにしたことを特徴とする請求項１１に記載の展示用包装装置。
【請求項１３】
前記表示枠の上側の側壁に対して該上側の側壁の折返し部分がＶ字状になるように折曲げられ、前記上側の側壁と、該上側の側壁の折返し部分とにそれぞれ切溝と、該切溝の終端に位置する保持孔とを設け、前記接続コードの先端部を前記切溝を通して前記側壁と前記折返し部分の前記保持孔内に導くようにしたことを特徴とする請求項１１に記載の展示用包装装置。
【請求項１４】
前記接続コードは、先端部にコネクタが接続されていることを特徴とする請求項１１に記載の展示用包装装置。
【請求項１５】
前記接続コードは、先端部にイヤホンジャックが接続されていることを特徴とする請求項１１に記載の展示用包装装置。
【請求項１６】
透明または半透明の合成樹脂製ケースの内側に収納凹部が形成され、先端部に部品、ユニット等を接続した接続コードを前記収納凹部内に収納するとともに、該収納凹部の背面側開口を背面板によって閉塞するようにした展示用包装装置において、
前記背面板の上端または下端に折返し部分を連設するとともに、該折返し部分の先端部に折曲げ片を設け、該折曲げ片は前記合成樹脂製ケースの収納凹部の内側において該内側空間を上下に区画するように折曲げられ、しかも前記折曲げ片に前記接続コードの先端部を支持する支持部が設けられ、
前記接続コードの先端部を前記支持部によって支持するとともに、前記接続コードの先端部に接続された部品またはユニットを前記折曲げ片の上方に配するようにしたことを特徴とする展示用包装装置。
【請求項１７】
前記背面板の折曲げ片に、切溝と、該切溝の終端に位置する保持孔とが設けられ、前記接続コードの先端部を前記切溝を通して前記保持孔内に導くようにしたことを特徴とする請求項１６に記載の展示用包装装置。
【請求項１８】
前記接続コードは、先端部にコネクタが接続されていることを特徴とする請求項１６に記載の展示用包装装置。
【請求項１９】
前記接続コードは、先端部にイヤホンジャックが接続されていることを特徴とする請求項１６に記載の展示用包装装置。
【発明の詳細な説明】
【技術分野】
【０００１】
本発明は展示用包装装置に係り、とくに透明または半透明の合成樹脂製ケースの内側に接続コードを収納するとともに、上記合成樹脂製ケースの背面側開口を背面板によって閉塞するようにした展示用包装装置に関する。
【背景技術】
【０００２】
各種の電子機器の小物類を販売するために、従来より展示用包装装置が用いられている。展示用包装装置は、透明なケースの内側の凹部に商品を収納するとともに、この凹部の背面側開口を背面板によって閉塞して展示を行なうようにしている。ケースが透明であるから、前方から内部の商品が見えるようになり、これによって展示を行ないながら販売をすることが可能になる。
【０００３】
従来のこのような展示用包装装置の一例を図１２および図１３によって説明する。この包装装置は透明な合成樹脂製ケース１を備え、このケース１は前方に突出する直方体状の膨出部を備え、この膨出部の内側が背面に向かって開口した収納凹部２になっている。そして収納凹部２内に真空成形または圧空成形された中枠３と表示枠７とが挿入されるようになっている。表示枠７には所定の表示が施され、中枠３の前面側に装着される。
【０００４】
販売する商品である接続コード４は、上記中枠３の主たる凹部に保持されるとともに、接続コード４の端部のコネクタ５が上記中枠３の上方の別の凹部に収納されるようになっている。そして中枠３と表示枠７とを収納保持した合成樹脂製ケース１の背面側の開口が背面板６によって閉じられるようになっており、これによって図１３に示すように、展示しながら販売できるようにした展示用包装装置が形成される。
【０００５】
従来のこのような展示用包装装置の欠点は、真空成形あるいは圧空成形された中枠１３を用いるために、包装装置のコストが増大することである。また中枠３を用い、その凹部内に接続コード４等を収納しているために、接続コード４やコネクタ５の寸法に比べて、一回り大きな中枠３を用いなければならず、中枠３の外周部分によって収納スペースが小さくなる欠点がある。
【０００６】
特許第３２３９９１２号公報には、透明なケース本体の内側の凹部に商品を収納するとともに、凹部の背面側開口を背面板によって閉塞するようにした展示用ケースにおいて、ケース本体の凹部内において商品を保持する中枠と、ケース本体の凹部の内側に配され、ケース本体を通して表示を行なう表示板とを備え、表示板に係止部が設けられ、中枠に設けられている被係止部を係止するようにした展示用ケースが開示されている。
【０００７】
このような展示用ケースも、真空成形あるいは圧空成形された中枠を用いて、この中枠の凹部内に商品を嵌込むようにして保持している。従って上記中枠によってコストが増大するとともに、ケース本体の内部空間の有効利用が妨げられ、商品の寸法に比べて包装装置の寸法が大きくなる欠点が解消できない。
【特許文献１】特許第３２３９９１２号公報
【特許文献２】実開昭６２−４２５２７号公報
【特許文献３】特開平８−９１４２６号公報
【発明の開示】
【発明が解決しようとする課題】
【０００８】
本願発明の課題は、真空成形あるいは圧空成形された中枠を用いないようにした展示用包装装置を提供することである。
【０００９】
本願発明の別の課題は、成形体から成る中枠を用いず、これによって収納スペースを有効に利用できるようにした展示用包装装置を提供することである。
【００１０】
本願発明のさらに別の課題は、内部に収納される接続コードの先端部に接続された部品、ユニット等が確実に見えるようにした展示用包装装置を提供することである。
【００１１】
本願発明の上記の課題および別の課題は、以下に述べる本願発明の技術的思想、およびその実施の形態によって明らかにされる。
【課題を解決するための手段】
【００１２】
本願の主要な発明は、透明または半透明の合成樹脂製ケースの内側に収納凹部が形成され、先端部に部品、ユニット等を接続した接続コードを前記収納凹部内に収納するとともに、該収納凹部の背面側開口を背面板によって閉塞するようにした展示用包装装置において、
前記収納凹部内に配され、内部に前記接続コードを収納しかつ前記合成樹脂製ケースを通して所定の表示を行なう表示枠と、
前記表示枠の係止部によって係止され、しかも前記収納凹部内であって前記表示枠の上方位置において前記接続コードの先端部または該先端部に接続された部品、ユニット等を支持する透明または半透明のシートと、
を具備する展示用包装装置に関するものである。
【００１３】
ここで、前記透明または半透明のシートに保持孔を設け、前記接続コードの先端部に接続された部品、ユニット等を前記保持孔内に保持するようにしてよい。また前記表示枠の上側の側壁に、切溝と、該切溝の終端に位置する保持孔とを設け、前記接続コードの先端部を前記切溝を通して前記保持孔内に導くようにしてよい。また前記接続コードは、先端部にコネクタが接続されてよい。また前記接続コードは、先端部にイヤホンジャックが接続されてよい。
【００１４】
本願の別の主要な発明は、透明または半透明の合成樹脂製ケースの内側に収納凹部が形成され、先端部に部品、ユニット等を接続した接続コードを前記収納凹部内に収納するとともに、該収納凹部の背面側開口を背面板によって閉塞するようにした展示用包装装置において、
前記合成樹脂製ケースの下端に前記背面板の内側に沿って上方に延びる連結板を連設するとともに、該連結板の先端部を前方に折曲げて折曲げ片を設け、しかも該折曲げ片に前記コードの先端部を支持する支持部を設け、
前記コードの先端部を前記支持部によって支持するとともに、前記接続コードの先端部に接続された部品またはユニットを前記合成樹脂製ケースの収納凹部内であって前記折曲げ片の上方に配するようにしたことを特徴とする展示用包装装置に関するものである。
【００１５】
ここで、前記合成樹脂製ケースの折曲げ片に、切溝と、該切溝の終端に位置する保持孔とを設け、前記接続コードの先端部を前記切溝を通して前記保持孔内に導くようにしてよい。また前記表示枠の上側の側壁に、切溝と、該切溝の終端に位置する保持孔とを設け、前記接続コードの先端部を前記切溝を通して前記保持孔内に導くようにしてよい。また前記接続コードは、先端部にコネクタが接続されてよい。また前記接続コードは、先端部にイヤホンジャックが接続されてよい。
【００１６】
本願のさらに別の主要な発明は、透明または半透明の合成樹脂製ケースの内側に収納凹部が形成され、先端部に部品、ユニット等を接続した接続コードを前記収納凹部内に収納するとともに、該収納凹部の背面側開口を背面板によって閉塞するようにした展示用包装装置において、
前記収納凹部内に配され、内部に前記接続コードを収納しかつ合成樹脂製ケースを通して所定の表示を行なう表示枠を備え、該表示枠の上側の側壁または該上側の側壁の折返し部分に前記接続コードの先端部を支持する支持部を設け、
前記接続コードの先端部を前記支持部によって支持するとともに、前記接続コードの先端部に接続された部品またはユニットを前記表示枠の外であって上方に配するようにしたことを特徴とする展示用包装装置に関するものである。
【００１７】
ここで、前記表示枠の上側の側壁に、切溝と、該切溝の終端に位置する保持孔とを設け、前記接続コードの先端部を前記切溝を通して前記保持孔内に導くようにしてよい。また前記表示枠の上側の側壁に対して該上側の側壁の折返し部分がＶ字状になるように折曲げられ、前記上側の側壁と、該上側の側壁の折返し部分とにそれぞれ切溝と、該切溝の終端に位置する保持孔とを設け、前記接続コードの先端部を前記切溝を通して前記側壁と前記折返し部分の前記保持孔内に導くようにしてよい。また前記接続コードは、先端部にコネクタが接続されてよい。また前記接続コードは、先端部にイヤホンジャックが接続されてよい。
【００１８】
本願のさらに別の主要な発明は、透明または半透明の合成樹脂製ケースの内側に収納凹部が形成され、先端部に部品、ユニット等を接続した接続コードを前記収納凹部内に収納するとともに、該収納凹部の背面側開口を背面板によって閉塞するようにした展示用包装装置において、
前記背面板の上端または下端に折返し部分を連設するとともに、該折返し部分の先端部に折曲げ片を設け、該折曲げ片は前記合成樹脂製ケースの収納凹部の内側において該内側空間を上下に区画するように折曲げられ、しかも前記折曲げ片に前記接続コードの先端部を支持する支持部が設けられ、
前記接続コードの先端部を前記支持部によって支持するとともに、前記接続コードの先端部に接続された部品またはユニットを前記折曲げ片の上方に配するようにしたことを特徴とする展示用包装装置に関するものである。
【００１９】
ここで、前記背面板の折曲げ片に、切溝と、該切溝の終端に位置する保持孔とが設けられ、前記接続コードの先端部を前記切溝を通して前記保持孔内に導くようにしてよい。また前記接続コードは、先端部にコネクタが接続されてよい。また前記接続コードは、先端部にイヤホンジャックが接続されてよい。
【００２０】
本願発明の好ましい態様は、パッケージングされたケーブルを整列させるために、成形した中枠を用いてケーブルの固定を行なうのに代えて、透明のシートを単に型抜した部品によって、プラグを整列することを可能とし、表面から裏面にシートを湾曲して取付けることによって、シートの切断端が見えなくする構成を採用している。
【００２１】
上記のような態様によると、正面から見た場合に、コードに接続されているプラグが宙に浮いて見えるようになり、美しい展示が行なわれることになる。また成形された中枠を用いないために、商品が非常に良く見えるとともに、裏面の形状も確認できるようになる。従ってこれにより、商品のイメージが分かり易くなる。
【００２２】
また成形された中枠を用いないために、部品単価を安価にすることが可能になる。また成形加工した中枠を用いないために、中枠成形のための金型が必要でなくなる。さらに中枠の成形加工を行なわないために、部品の注文のリードタイムの短縮化が可能になる。
【００２３】
また成型品から成る中枠を用いないために、透明ケースの内部の収納スペースが有効に利用できるようになる。そして接続コードの端部に接続されているプラグとして、四角いプラグに限らず、いろいろなプラグ形状に対応できるようになる。またプラグの下にケーブルを回すことが可能になるため、収納スペースが有効に使える。
【発明の効果】
【００２４】
本願の主要な発明は、透明または半透明の合成樹脂製ケースの内側に収納凹部が形成され、先端部に部品、ユニット等を接続した接続コードを収納凹部内に収納するとともに、該収納凹部の背面側開口を背面板によって閉塞するようにした展示用包装装置において、収納凹部内に配され、内部に接続コードを収納しかつ合成樹脂製ケースを通して所定の表示を行なう表示枠と、表示枠の係止部によって係止され、しかも収納凹部内であって表示枠の上方位置において接続コードの先端部または該先端部に接続された部品、ユニット等を支持する透明または半透明のシートと、を具備するようにしたものである。
【００２５】
従ってこのような展示用包装装置によると、表示枠の係止部によって係止された透明または半透明のシートの支持部によって接続コードの先端部または該先端部に接続された部品、ユニット等を支持して展示しながら包装することが可能になる。
【００２６】
本願の別の主要な発明は、透明または半透明の合成樹脂製ケースの内側に収納凹部が形成され、先端部に部品、ユニット等を接続した接続コードを収納凹部内に収納するとともに、該収納凹部の背面側開口を背面板によって閉塞するようにした展示用包装装置において、合成樹脂製ケースの下端に背面板の内側に沿って上方に延びる連結板を連設するとともに、該連結板の先端部を前方に折曲げて折曲げ片を設け、しかも該折曲げ片にコードの先端部を支持する支持部を設け、コードの先端部を支持部によって支持するとともに、接続コードの先端部に接続された部品またはユニットを合成樹脂製ケースの収納凹部内であって折曲げ片の上方に配するようにしたものである。
【００２７】
従ってこのような展示用包装装置によると、合成樹脂製ケースの端部に連結板を介して連結された折曲げ片の支持部によって接続コードの先端部を支持しながら包装するとともに、合成樹脂製ケースの収納凹部内であって折曲げ片の上方に上記接続コードの先端部に接続された部品またはユニットが露出するようになり、外部から容易に確認できるようになる。
【００２８】
本願のさらに別の主要な発明は、透明または半透明の合成樹脂製ケースの内側に収納凹部が形成され、先端部に部品、ユニット等を接続した接続コードを収納凹部内に収納するとともに、該収納凹部の背面側開口を背面板によって閉塞するようにした展示用包装装置において、収納凹部内に配され、内部に接続コードを収納しかつ合成樹脂製ケースを通して所定の表示を行なう表示枠を備え、該表示枠の上側の側壁または該上側の側壁の折返し部分に接続コードの先端部を支持する支持部を設け、接続コードの先端部を支持部によって支持するとともに、接続コードの先端部に接続された部品またはユニットを表示枠の外であって上方に配するようにしたものである。
【００２９】
従ってこのような展示用包装装置によると、表示枠の上側の側壁またはこの上側の側壁の折返し部分に設けられている支持部によって接続コードの先端部を支持しながら、この接続コードの先端部に接続された部品またはユニットを合成樹脂製ケースの内側の収納凹部内であって表示枠の上方に配することが可能になる。
【００３０】
本願のさらに別の主要な発明は、透明または半透明の合成樹脂製ケースの内側に収納凹部が形成され、先端部に部品、ユニット等を接続した接続コードを収納凹部内に収納するとともに、該収納凹部の背面側開口を背面板によって閉塞するようにした展示用包装装置において、背面板の上端または下端に折返し部分を連設するとともに、該折返し部分の先端部に折曲げ片を設け、該折曲げ片は合成樹脂製ケースの収納凹部の内側において該内側空間を上下に区画するように折曲げられ、しかも折曲げ片に接続コードの先端部を支持する支持部が設けられ、接続コードの先端部を支持部によって支持するとともに、接続コードの先端部に接続された部品またはユニットを折曲げ片の上方に配するようにしたものである。
【００３１】
従ってこのような展示用包装装置によると、背面板の端部に連設された折曲げ片の支持部によって接続コードの先端部を支持するとともに、接続コードの先端部に接続された部品またはユニットを折曲げ片の上方において合成樹脂製ケースの収納凹部内に配することが可能になり、外部から見易い状態で包装が行なわれることになる。
【発明を実施するための最良の形態】
【００３２】
以下本願発明を図示の実施の形態によって説明する。まず第１の実施の形態を図１〜図３によって説明する。この実施の形態は、ポリスチレン等の透明な合成樹脂によって成形された合成樹脂製ケース１０を備えている。合成樹脂製ケース１０はその上部側の部分を残してて前方に直方体状に突出するようになっており、この直方体状の突出部の内側が収納凹部１１になっている。また合成樹脂製ケース１０には、上部に吊下げ孔１４が形成され、吊下げて展示販売できるようになっている。そしてこの収納凹部１１内に、接続コード１２を収納保持するようになっている。なお接続コード１２の端部にはコネクタ１３が接続される。
【００３３】
上記合成樹脂製ケース１０の背面側開口を覆うように、板紙から成る背面板１６が用いられる。背面板１６には、上部に吊下げ孔２６が形成されている。ここで背面板１６には折曲げ線１７を介して一体に紙製の表示枠１８が連設され、この表示枠１８はその左右両側にそれぞれ側板１９を備えている。なお表示枠１８の前面には、商品名、型番、使用方法、模様等の表示が印刷によってなされており、透明な合成樹脂製ケース１０を通して前方から見えるようになっている。
【００３４】
上記表示枠１８の上側の開口２１を閉塞するように打抜き加工により打抜かれた弾性を有する透明シート２２が装着される。透明シート２２はその下端側に爪２３が連設されるとともに、この爪２３が表示枠１８の上部側の切込み２４に挿入されるようになっている。また透明シート２２には、左右一対の保持孔２５が連設され、これらの保持孔２５に上記接続コード１２の端部に接続されたコネクタ１３が保持されるようになっている。
【００３５】
このように本実施の形態の展示用包装装置は、ポリプロピレン、ポリエチレンテレフタレート等の透明または半透明のシート２２を用いることを特徴としており、型抜き加工されたシート２２によって、接続コード１２の端部のプラグ１３を保持して固定するようにしている。透明シート２２は図１に示すように円弧状に屈曲されており、背面側に向けて屈曲させることによってシートの切断端が背面板１６に対向するようになり、このためにシート２２の切断端が見えなくなって展示用包装装置のイメージが向上する。
【００３６】
そして上記透明シート２２によって接続コード１２の端部のコネクタ１３が宙に浮いたようにして保持されることになり、しかもこの透明シート２２を介して表示枠１８の内側の接続コード１２を確認することが可能になる。そして真空成形あるいは圧空成形された中枠を用いることなく、板紙によって折曲げて形成された表示枠１８の内側に接続コード１２を収納することができるために、表示枠１８の内部空間をより有効に利用して収納することが可能になる。
【００３７】
従ってこのような展示用包装装置は、正面から見た場合にコネクタ１３が宙に浮いているように見えるとともに、真空成形あるいは圧空成形された中枠を用いないために、透明シート２２を通して接続コード１２が非常に良く見え、商品のイメージが分かり易くなる。また中枠を用いないために、収納スペースが有効に利用できる。また中枠を用いないために、成形加工が必要でなく、これによって中枠の成形のための金型が不要になるとともに、成形加工がないために、部品の注文のリードタイムの短縮化が可能になる。また表示枠１８の下側に接続コード１２を引回すことが可能になり、収納スペースが有効に利用できるようになる。また接続コード１２に接続されるコネクタ１３としては、必ずしも四角いプラグに限らず、その他各種の形状のプラグに対応できるようになる。
【００３８】
次に上記実施の形態の変形例を図４によって説明する。この変形例は、上記表示枠１８を背面側のみが開放された直方体状の形状となし、上側に側壁２９を形成している。そしてこの側壁２９には、背面側から前方に向かって延びる一対の切溝３０が形成されるとともに、これらの切溝３０の終端に円形孔から成る保持孔３１が形成されるようになっている。そして上記側壁２９の上側に透明シート２２が配され、その爪２３が表示枠１８の切込み２４に挿入されて係止されるようになっている。また透明シート２２の上端には、平坦部２７が形成されている。
【００３９】
従ってこのような構成によると、表示枠１８の内側に接続コード１２が収納され、しかもこの接続コード１２の端部が上側の側壁２９の切溝３０を通して保持孔３１に挿入保持されるようになる。しかも接続コード１２の先端のコネクタ１３が透明シート２２の保持孔２５によって保持されることになる。
【００４０】
次に第２の実施の形態を図５および図６によって説明する。この実施の形態は、図５に示すように合成樹脂製ケース１０の下端の背面側の端部に折曲げ線３５を介して連結板３６を上方に延出されるように形成し、しかも連結板３６の上端に折曲げ線３７を介して前方へ折曲げた折曲げ片３８を形成する。そして折曲げ片３８には一対の切溝３９と、これらの切溝３９の終端に位置する保持孔４０とを形成している。
【００４１】
このような構成によると、表示枠１８の内側に接続コード１２が収納保持される。そして接続コード１２の先端側の部分がこの表示枠１８の上側の側壁２９の切溝３０から保持孔３１に導入されるようになる。そして上記接続コード１２の先端側の部分が合成樹脂製ケース１０に連設された折曲げ片３８の切溝３９を通して保持孔４０に導入されるようになる。従ってコネクタ１３は、上記折曲げ片３８よりも上方においてこの合成樹脂製ケース１０の収納凹部１１内に保持されることになる。
【００４２】
このような構成においても、成形された中枠を用いることなく、先端部にコネクタ１３を接続した接続コード１２を見易い姿勢で収納保持することが可能になり、このようなコネクタ１３が透明な合成樹脂製ケース１０を通して外部から確実に視認できるようになる。
【００４３】
次に第３の実施の形態を図７および図８によって説明する。この実施の形態は、直方体状をなす表示枠１８を用いるようにしており、この表示枠１８の上側の側壁２９に互いに平行に一対の切溝３０を形成し、これらの切溝３０の終端を保持孔３１にしている。そして上記上側の側壁２９の先端側に折曲げ線４４を介して折返し部分４５を連設し、該折返し部分４５には互いに平行に切溝４６と、これらの切溝４６の終端の保持孔４７とを形成している。なお上記折返し部分４５の切溝４６は上側の側壁２９の切溝３０と連通されている。
【００４４】
従ってこのような構成によると、表示枠１８内に巻装された接続コード１２が収納される。そして接続コード１２の先端部は、表示枠１８の折返し部分４５の切溝４６から保持孔４７に保持されるとともに、さらに表示枠１８の上側の側壁２９の切溝３０から保持孔３１内に導かれて保持されるようになる。すなわち接続コード１２の先端部は２つの保持孔３１、４７によってそれぞれ保持されることになる。そして上側の側壁２９よりも上方位置において、接続コード１２に接続されたコネクタ１３が露出した状態で合成樹脂製ケース１０の外部から視認できるようになる。
【００４５】
次に第４の実施の形態を図９〜図１１によって説明する。この実施の形態は、背面板１６の上端に折曲げ線５１を介して折返し部分５２を連設し、この折返し部分５２の先端側に折曲げ線５３を介して折曲げ片５４を連設している。そして折曲げ片５４には切溝５５と保持孔５６とを形成している。上記折曲げ片５４が合成樹脂製ケース１０の収納凹部１１内において前方に突出することになる。
【００４６】
従ってこのような構成によると、表示枠１８の内側の空間に接続コード１２が収納されることになり、この接続コード１２の先端側の部分が表示枠１８の上側の側壁２９の切溝３０を通して保持孔３１によって保持される。さらにこの接続コード１２の先端側の部分は、上記背面板１６に連設された折曲げ片５４の切溝５５を通して保持孔５６によって保持される。従って接続コード１２の先端側のコネクタ１３は、上記折曲げ片５４よりも上方において、合成樹脂製ケース１０の収納凹部１１内に配されることになる。従って透明な合成樹脂製ケース１０を通して折曲げ片５４によって支持されたコネクタ１３を外部から視認できるようになる。
【００４７】
以上本願発明を図示の実施の形態によって説明したが、本願発明は上記実施の形態によって限定されることなく、本願に含まれる発明の技術的思想の範囲内において各種の変更が可能である。例えば上記実施の形態においては、接続コード１２の先端側にコネクタ１３を取付けるようにしているが、接続コード１２の先端には、例えばイヤホン、ヘッドホン等のユニットを接続してもよい。また上記第４の実施の形態の折返し部分５２および折曲げ片５４は、背面板１６の下端に連設してもよい。
【産業上の利用可能性】
【００４８】
本願発明は、接続コード等の小物類の販売のための包装装置に利用することが可能である。
【図面の簡単な説明】
【００４９】
【図１】第１の実施の形態の展示用包装装置の分解斜視図である。
【図２】同展示用包装装置の組立て斜視図である。
【図３】同展示用包装装置の縦断面図である。
【図４】変形例に係る展示用包装装置の分解斜視図である。
【図５】第２の実施の形態の展示用包装装置の合成樹脂製ケースの背面側から見た斜視図である。
【図６】同展示用包装装置の縦断面図である。
【図７】第３の実施の形態の展示用包装装置の表示枠の外観斜視図である。
【図８】同展示用包装装置の縦断面図である。
【図９】第４の実施の形態の展示用包装装置の背面板の展開平面図である。
【図１０】同背面板の組立て斜視図である。
【図１１】同展示用包装装置の縦断面図である。
【図１２】従来の展示用包装装置の分解斜視図である。
【図１３】同展示用包装装置の組立て斜視図である。
【符号の説明】
【００５０】
１…合成樹脂製ケース、２…収納凹部、３…中枠、４…接続コード、５…コネクタ、６…背面板、７…表示枠、１０…合成樹脂製ケース、１１…収納凹部、１２…接続コード、１３…コネクタ、１４…吊下げ孔、１６…背面板、１７…折曲げ線、１８…表示枠、１９…側板、２１…開口、２２…透明シート、２３…爪、２４…切込み、２５…保持孔、２６…吊下げ孔、２７…平坦部、２９…上側の側壁、３０…切溝、３１…保持孔、３５…折曲げ線、３６…連結板、３７…折曲げ線、３８…折曲げ片、３９…切溝、４０…保持孔、４４…折曲げ線、４５…折返し部分、４６…切溝、４７…保持孔、５１…折曲げ線、５２…折返し部分、５３…折曲げ線、５４…折曲げ片、５５…切溝、５６…保持孔
【図１】
2007276859.tif 000002
【図２】
2007276859.tif 000003
【図３】
2007276859.tif 000004
【図４】
2007276859.tif 000005
【図５】
2007276859.tif 000006
【図６】
2007276859.tif 000007
【図７】
2007276859.tif 000008
【図８】
2007276859.tif 000009
【図９】
2007276859.tif 000010
【図１０】
2007276859.tif 000011
【図１１】
2007276859.tif 000012
【図１２】
2007276859.tif 000013
【図１３】
2007276859.tif 000014